(57)【要約】      （修正有）【課題】マルチターゲット通信チャネルの判別が可能な表示方法に関し、デバイス識別コードを表示することで、現在の接続ターゲットを判別する表示方法を提供する。【解決手段】主にワイヤレス通信方式を用いて複数の通信チャネルで一つの入力装置と少なくとも二つの情報処理システムとの間のデータ通信接続を切り換えるものであって、入力装置には第１の表示エリアと第２の表示エリアとを有する表示モジュールが設けられている、マルチターゲット通信チャネルの判別が可能な表示方法である。デバイス接続確立、通信チャネル設定及び接続ターゲット決定により、このうちの一つの情報処理システムとデータ接続を行うものであり、使用者は、接続通信チャネル情報表示にてデバイス識別コードを表示することができ、表示するデバイス識別コードに基づいて、入力装置が現在接続している情報処理システムを知ることができる。【選択図】図１
2014230277.tif 000002
【特許請求の範囲】
【請求項１】
ワイヤレス通信方式を用いて複数の通信チャネルで、第１表示エリアと第２の表示エリアとを有する表示モジュールを備える一つの入力装置と少なくとも二つの情報処理システムとの間のデータ通信接続を切り換える、マルチターゲット通信チャネルの判別が可能な表示方法であって、前記表示方法は、
ステップ１、デバイス接続確立ステップ：接続ターゲット検出モードを起動して、接続可能な前記情報処理システムを検出する、
ステップ２、通信チャネル設定ステップ：前記情報処理システムのデバイス識別コード及びデバイス許可コードを取得するとともに、前記デバイス識別コード及び前記デバイス許可コードと対応させて読み取る通信チャネル選択コードを設定する、
ステップ３、接続ターゲット決定ステップ：使用者が選択して生成された前記通信チャネル選択コードに基づいて、対応する前記デバイス識別コード及び前記デバイス許可コードを読み取ることで、対応する前記通信チャネルと前記情報処理システムとでデータ通信接続を行う、
ステップ４、接続通信チャネル情報表示ステップ：使用者が選択して生成された前記通信チャネル選択コードを前記表示モジュールで取得するとともに、対応する前記デバイス識別コードを読み取り、前記第１の表示エリアを用いて前記通信チャネル選択コードを表示し、前記第２の表示エリアを用いて前記デバイス識別コードを表示する、ことを含む、ことを特徴とするマルチターゲット通信チャネルの判別が可能な表示方法。
【請求項２】
前記ステップ３が、
ａ．前記入力装置に設けられているメモリリセッタを準備し、
ｂ．前記メモリリセッタがトリガされたか否かを判断し、もしトリガされている場合には、前記入力装置に記録されている前記複数のデバイス識別コード及び前記複数のデバイス許可コードを消去するとともに前記通信チャネル設定ステップを改めて実行し、もしトリガされていない場合には、前記メモリリセッタのトリガ判断を引き続き実行する、サブステップを更に含む、ことを特徴とする請求項１に記載のマルチターゲット通信チャネルの判別が可能な表示方法。
【請求項３】
前記ステップ３が、
ａ．前記入力装置に設けられているメモリリセッタ及びチャネルセレクタを準備し
ｂ．前記チャネルセレクタで前記通信チャネル選択コードを選択するとともに、前記メモリリセッタがトリガされたか否かを判断し、もしトリガされている場合には、前記通信チャネル選択コードに対応する前記デバイス識別コード及び前記デバイス識別コードを消去するとともに前記通信チャネル設定ステップを改めて実行し、もしトリガされていない場合には、前記メモリリセッタのトリガ判断を引き続き実行する、サブステップを更に含む、ことを特徴とする請求項１に記載のマルチターゲット通信チャネルの判別が可能な表示方法。
【請求項４】
前記ステップ４が、
ａ．前記入力装置に設けられているステータスリーダを準備し、
ｂ．前記ステータスリーダがトリガされたか否かを判断し、もしトリガされている場合には、前記入力装置に接続されている前記通信チャネル選択コードを改めて読み取り、前記通信チャネル選択コードに基づいて対応する前記デバイス識別コードを読み取るとともに次のステップを継続し、もしトリガされていない場合には、前記ステータスリーダのトリガ判断を引き続き実行し、
ｃ．前記第１の表示エリアを用いて前記通信チャネル選択コードを改めて表示し、前記第２の表示エリアを用いて前記デバイス識別コードを改めて表示する、サブステップを更に含む、ことを特徴とする請求項１に記載のマルチターゲット通信チャネルの判別が可能な表示方法。
【請求項５】
前記ステップ４が、
ａ．前記入力装置に設けられているステータスリーダを準備し、
ｂ．前記ステータスリーダがトリガされたか否かを判断し、もしトリガされている場合には、前記入力装置に記録されている前記複数のデバイス識別コード及び前記複数の通信チャネル選択コードを改めて読み取るとともに、前記入力装置に接続されている前記通信チャネル選択コード及びそのデバイス識別コードに対応する接続マークを設定し、もしトリガされていない場合には、前記ステータスリーダのトリガ判断を引き続き実行し、
ｃ．前記第１の表示エリア及び前記第２の表示エリアを用いて前記複数の通信チャネル選択コード及び前記複数のデバイス識別コードを表示するとともに、前記接続マークに基づいて、対応する前記通信チャネル選択コード及びそのデバイス識別コードを目立つように表示する、サブステップを更に含む、ことを特徴とする請求項１に記載のマルチターゲット通信チャネルの判別が可能な表示方法。
【請求項６】
前記入力装置がキーセットと、前記キーセットの押下により電気信号を生成する回路ユニットと、前記表示モジュールに接続されるとともに前記回路ユニットに電気的に接続されて前記電気信号を検出するマイクロコントロールユニットと、前記マイクロコントロールユニットに電気的に接続されているメモリユニットと、前記マイクロコントロールユニットに接続されているワイヤレス通信装置とを備えるキーボードであって、前記メモリユニットは前記デバイス識別コード、前記デバイス許可コードを少なくとも保存しており、前記マイクロコントロールユニットは前記回路ユニットが生成した前記通信チャネル選択コードを検出して、対応する前記デバイス識別コード、デバイス許可コードを前記メモリユニットから読み取り、前記表示モジュールを用いて前記通信チャネル選択コード、前記デバイス識別コードを表示するとともに、前記デバイス識別コード、前記デバイス許可コードにより、対応する前記情報処理システムと情報通信接続を行う、ことを特徴とする請求項１に記載のマルチターゲット通信チャネルの判別が可能な表示方法。
【請求項７】
前記キーボードにはステータスリーダが設けられており、前記ステータスリーダは前記キーセットのうちの少なくとも一つのキーと組み合わせて押下されることで、前記通信チャネル選択コード及び前記デバイス識別コードを前記表示モジュールに改めて表示する、ことを特徴とする請求項６に記載のマルチターゲット通信チャネルの判別が可能な表示方法。
【請求項８】
前記キーボードにはメモリリセッタが設けられており、前記メモリリセッタは前記キーセットのうちの少なくとも一つのキーと組み合わせて押下されることで、保存されている前記デバイス識別コード及び前記デバイス許可コードを前記キーボードで消去する、ことを特徴とする請求項６に記載のマルチターゲット通信チャネルの判別が可能な表示方法。
【発明の詳細な説明】
【技術分野】
【０００１】
本発明はマルチターゲット通信チャネルの判別が可能な表示方法に関し、とりわけデバイス識別コードを表示することで、現在の接続ターゲットを判別する表示方法に関する
【背景技術】
【０００２】
コンピュータ技術の進歩が形をなすにつれて、キーボードは必須の基本的な入力機器となっており、各種コンピュータ機器は進歩しているものの、キーボードの大半は未だ基本的な形態を保ったままである。しかし使用者のニーズに伴って、キーボードのサイズ、重量はすでに大幅に縮減されてきており、極端なものでは、折りたたみ型、展開する可変型キーボード、そして巻回して折り曲げることができるフレキシブルキーボードがある。使用自由度を制限する主要なものとして、一般的なキーボードとコンピュータ機器との間の接続には信号ケーブルで接続する必要があるが、信号ケーブルの長さにより使用距離及び使用場所が制限されるというものがある。よって、既存の製造業者では、例えばブルートゥースワイヤレスキーボード、赤外線ワイヤレスキーボードといったワイヤレス通信技術を搭載したキーボードを製品化している。
【発明の概要】
【発明が解決しようとする課題】
【０００３】
ワイヤレス通信技術で接続を実行するキーボードでは、一般的なキーボードに長年存在していた問題を解決できているが、現代の人々の多くはコンピュータ、携帯電話機及びタブレット型コンピュータなどの複数の情報処理システムを同時に所有していることから、もし各々の情報処理システムのいずれにもワイヤレスキーボードが搭載されているとなると、操作上でも混乱する問題が発生しかねない。よって、一部の製造業者では、マルチターゲット接続を有するワイヤレスキーボードを製品化している。いわゆるマルチターゲットとは、前記ワイヤレスキーボードが少なくとも二つ以上の情報処理システムとの接続プロファイルを同時に記録することができ、記録した接続プロファイルは、使用者が前記二つの情報処理システムとの間で自在に切り換えることができるようにするものである。しかし、現在、マルチターゲットの接続切り換えを有するワイヤレスキーボードには、現在接続している情報処理システムを表示することはできず、よしんばワイヤレスキーボードに現在選択した通信チャネル選択コードが表示されたとしても、使用者が推測で切り換えるという問題が発生するのを防止することはできない。つまり、長期間使用していると、使用者が当初設定した通信チャネルを多少なりとも忘れてしまい、接続が完了するまで、使用者が各々の通信チャネルを推測で切り換えることになる、というところに原因がある。よって、よしんば通信チャネル選択コードを表示したとしても、使用者は設定された情報処理システムを通信チャネル選択コードから思い出すことはできず、やはり再度推測で切り換えることになってしまう。
【課題を解決するための手段】
【０００４】
本発明の主な目的は、従来のワイヤレスキーボードでは通信チャネルに対応する情報処理システムを知ることができず、使用者が推測で切り換えなければならないという問題を解決するところにある。
【０００５】
上記目的を達成するために、本発明では、ワイヤレス通信方式を用いて複数の通信チャネルで一つの入力装置と少なくとも二つの情報処理システムとの間のデータ通信接続を切り換えるものであって、前記入力装置は第１の表示エリアと第２の表示エリアとを有する表示モジュールを備えている、マルチターゲット通信チャネルの判別が可能な表示方法を提供する。前記表示方法はデバイス接続確立ステップと、通信チャネル設定ステップと、接続ターゲット決定ステップと、接続通信チャネル情報表示ステップとを含み、このうち、前記デバイス接続確立ステップは、接続ターゲット検出モードを起動して、接続可能な前記情報処理システムを検出する。前記通信チャネル設定ステップは、前記情報処理システムのデバイス識別コード及びデバイス許可コードを取得するとともに、前記デバイス識別コード及び前記デバイス許可コードと対応させて読み取る通信チャネル選択コードを設定する。接続ターゲット決定ステップは、使用者が選択して生成された前記通信チャネル選択コードに基づいて、対応する前記デバイス識別コード及び前記デバイス許可コードを読み取ることで、対応する前記通信チャネルで前記情報処理システムとでデータ通信接続を行う。前記接続通信チャネル情報表示ステップは、使用者が選択して生成された前記通信チャネル選択コードを前記表示モジュールで取得するとともに、対応する前記デバイス識別コードを読み取り、前記第１の表示エリアを用いて前記通信チャネル選択コードを表示し、前記第２の表示エリアを用いて前記デバイス識別コードを表示する。
【０００６】
一実施例において、前記接続ターゲット決定ステップは以下のサブステップを更に含む：ａ）前記入力装置に設けられているメモリリセッタを準備し；ｂ）前記メモリリセッタがトリガされたかを判断し、もしトリガされている場合には、前記入力装置に記録されている前記複数のデバイス識別コード及び前記複数のデバイス許可コードを消去するとともに前記通信チャネル設定ステップを改めて実行し、もしトリガされていない場合には、前記メモリリセッタのトリガ判断を引き続き実行する。
【０００７】
一実施例において、前記接続ターゲット決定ステップは以下のサブステップを更に含む：ａ）前記入力装置に設けられているメモリリセッタ及びチャネルセレクタを準備し；ｂ）前記チャネルセレクタで前記通信チャネル選択コードを選択するとともに、前記メモリリセッタがトリガされたかを判断し、もしトリガされている場合には、前記通信チャネル選択コードに対応する前記デバイス識別コード及び前記デバイス識別コードを消去するとともに前記通信チャネル設定ステップを改めて実行し、もしトリガされていない場合には、前記メモリリセッタのトリガ判断を引き続き実行する。
【０００８】
一実施例において、前記接続通信チャネル情報表示ステップは以下のサブステップを更に含む：ａ）前記入力装置に設けられているステータスリーダを準備し；ｂ）前記ステータスリーダがトリガされたかを判断し、もしトリガされている場合には、前記入力装置に接続されている前記通信チャネル選択コードを改めて読み取り、前記通信チャネル選択コードに基づいて対応する前記デバイス識別コードを読み取るとともに次のステップを継続し、もしトリガされていない場合には、前記ステータスリーダのトリガ判断を引き続き実行し；ｃ）前記第１の表示エリアを用いて前記通信チャネル選択コードを改めて表示し、前記第２の表示エリアを用いて前記デバイス識別コードを改めて表示する。
【０００９】
一実施例において、前記接続通信チャネル情報表示ステップは以下のサブステップを更に含む：ａ）前記入力装置に設けられているステータスリーダを準備し；ｂ）前記ステータスリーダがトリガされたかを判断し、もしトリガされている場合には、前記入力装置に記録されている前記複数のデバイス識別コード及び前記複数の通信チャネル選択コードを改めて読み取るとともに、前記入力装置に接続されている前記通信チャネル選択コード及びそのデバイス識別コードに対応する接続マークを設定し、もしトリガされていない場合には、前記ステータスリーダのトリガ判断を引き続き実行し；ｃ）前記第１の表示エリア及び前記第２の表示エリアを用いて前記複数の通信チャネル選択コード及び前記複数のデバイス識別コードを表示するとともに、前記接続マークに基づいて、対応する前記通信チャネル選択コード及びそのデバイス識別コードを目立つように表示する。
【００１０】
一実施例において、前記ワイヤレス通信方式はブルートゥース通信技術である。
【００１１】
一実施例において、前記入力装置はキーボードである。更に詳細に言えば、前記キーボードはキーセットと、前記キーセットの押下により電気信号を生成する回路ユニットと、前記表示モジュールに接続されるとともに前記回路ユニットに電気的に接続されて前記電気信号を検出するマイクロコントロールユニットと、前記マイクロコントロールユニットに電気的に接続されているメモリユニットと、前記マイクロコントロールユニットに接続されているワイヤレス通信装置とを備えている。このうち、前記メモリユニットは前記デバイス識別コード、前記デバイス許可コードを少なくとも保存しており、前記マイクロコントロールユニットは前記回路ユニットが生成した前記通信チャネル選択コードを検出して、対応する前記デバイス識別コード、デバイス許可コードを前記メモリユニットから読み取り、前記通信チャネル選択コード、前記デバイス識別コードを前記表示モジュールを用いて表示するとともに、前記デバイス識別コード、前記デバイス許可コードにより、対応する前記情報処理システムと情報通信接続を行う。
【００１２】
一実施例において、前記キーボードにはステータスリーダが設けられており、前記ステータスリーダは前記キーセットのうちの少なくとも一つのキーと組み合わせて押下されることで、前記通信チャネル選択コード及び前記デバイス識別コードを前記表示モジュールに改めて表示する。
【００１３】
一実施例において、前記キーボードにはメモリリセッタが設けられており、前記メモリリセッタは前記キーセットのうちの少なくとも一つのキーと組み合わせて押下されることで、保存されている前記デバイス識別コード及び前記デバイス許可コードを前記キーボードで消去する。
【発明の効果】
【００１４】
上記したマルチターゲット通信チャネルの判別が可能な表示方法により、従来の実施形態に比べて以下のような特長を備えることになる。
【００１５】
本発明における前記通信チャネルの表示方法では、前記通信チャネル選択コードで対応する前記デバイス識別コードを読み取り、ひいては前記表示モジュールの前記第１の表示エリアを用いて前記通信チャネル選択コードを表示し、前記第２の表示エリアを用いて前記デバイス識別コードを表示することになる。これにより、使用者は前記入力装置が現在使用している通信チャネル及び接続されている前記情報処理システムを素早く知ることができる。
【図面の簡単な説明】
【００１６】
【図１】本発明のマルチターゲット通信チャネルの判別が可能な表示方法の第１の実施例の手順概略図である。
【図２】本発明のマルチターゲット通信チャネルの判別が可能な表示方法の第１の実施例の実施概略図である。
【図３】本発明のマルチターゲット通信チャネルの判別が可能な表示方法の第１の実施例における入力装置の構造ブロック概略図である。
【図４】本発明のマルチターゲット通信チャネルの判別が可能な表示方法の第１の実施例における表示モジュールの拡大概略図である。
【図５】本発明のマルチターゲット通信チャネルの判別が可能な表示方法の第２の実施例の手順概略図である。
【図６】本発明のマルチターゲット通信チャネルの判別が可能な表示方法の第２の実施例の実施概略図である。
【図７】本発明のマルチターゲット通信チャネルの判別が可能な表示方法の第３の実施例の手順概略図である。
【図８】本発明のマルチターゲット通信チャネルの判別が可能な表示方法の第３の実施例における表示モジュールの拡大概略図である。
【図９】本発明のマルチターゲット通信チャネルの判別が可能な表示方法の第４の実施例の手順概略図である。
【図１０】本発明のマルチターゲット通信チャネルの判別が可能な表示方法の第５の実施例の手順概略図である。
【発明を実施するための形態】
【００１７】
本発明の詳細な説明及び技術内容に関しては、図面を合わせて以下のように説明する。
【００１８】
図１乃至図４を参照されたい。本発明のマルチターゲット通信チャネルの判別が可能な表示方法では、主にワイヤレス通信方式を用いて複数の通信チャネルで一つの入力装置と少なくとも二つの情報処理システム２との間のデータ通信接続を切り換える。前記入力装置１はキーセット１１と、前記キーセット１１の押下により電気信号を生成する回路ユニット１２と、前記回路ユニット１２に電気的に接続されて前記電気信号を検出するマイクロコントロールユニット１３と、前記マイクロコントロールユニット１３に電気的に接続されているメモリユニット１４と、前記マイクロコントロールユニット１３に接続されているワイヤレス通信装置１５と、前記マイクロコントロールユニット１３に接続されている表示モジュール１６とを備えている。前記表示モジュール１６は複数の表示エリア（１６１、１６２）を備えており、前記表示エリア（１６１、１６２）の各々が異なる情報をそれぞれ表示するものであって、本実施例では、前記表示モジュール１６は第１の表示エリア１６１と第２の表示エリア１６２とを備えたものを例示している。また一方では、前記入力装置１はキーボード又はマウスなどとしてもよく、本発明の前記表示方法はブルートゥース通信技術を用いて前記情報処理システム２とのワイヤレス通信を実現しており、そして前記情報処理システム２はコンピュータ又は携帯電話機などすることができ、もしコンピュータである場合には携行可能なノート型パソコンとしてもよい。更に、前記情報処理システム２の各々はワイヤレス通信を実現するためのデバイス識別コード及びデバイス許可コードを有している。
【００１９】
上記により、本発明の前記マルチターゲットの切り換え通信方法は、以下のステップを実行する。
【００２０】
ステップ１、デバイス接続確立ステップＳ１。
【００２１】
ステップ２、通信チャネル設定ステップＳ２。
【００２２】
ステップ３、接続ターゲット決定ステップＳ３。
【００２３】
ステップ４、接続通信チャネル情報表示ステップＳ４。
【００２４】
各ステップを具体的に説明する。ステップＳ１では、まず前記入力装置１を用いて接続ターゲット検出モードを起動して、接続可能な前記情報処理システムを検出する。この実施例において、前記入力装置１はブルートゥース通信技術でワイヤレス通信を行っており、前記入力装置１が前記接続ターゲット検出モードを起動すると、前記入力装置１は前記ワイヤレス通信装置１５によりワイヤレス通信可能な何れか一つの情報処理システム２を検索するとともに、検索終了後にステップＳ２に移行する。
【００２５】
ステップＳ２では、前記情報処理システム２の各々の前記デバイス識別コード及び前記デバイス許可コードを前記ワイヤレス通信装置１５により取得するとともに、前記デバイス識別コード及び前記デバイス許可コードに対応して読み取る通信チャネル選択コードを前記マイクロコントロールユニット１３により設定するものであり、つまり、前記通信チャネル選択コードの各々はそれぞれ一つのデバイス識別コード及び前記デバイス識別コードに対応する一つのデバイス許可コードを対応して読み取ることができる。より詳細には、前記マイクロコントロールユニット１３は前記通信チャネル選択コード、前記デバイス識別コード及び前記デバイス許可コードを前記メモリユニット１４にそれぞれ出力するとともに保存する。
【００２６】
ステップＳ２終了後には、ステップＳ３を実行するものであって、使用者は必要に応じて一つの通信チャネル選択コードを生成するよう選択する。具体的には、使用者が前記キーセット１１上の一つのキーを打鍵する、又はコンビネーションキーの方式で前記回路ユニット１２にて電気信号を検出して、前記通信チャネル選択コードを生成する。前記マイクロコントロールユニット１３は前記通信チャネル選択コードを用いて対応する前記デバイス識別コード及び前記デバイス許可コードを前記メモリユニット１４から読み取るとともに、前記ワイヤレス通信装置１５に出力し、前記デバイス識別コード及び前記デバイス許可コードを用いて前記通信チャネル選択コードに対応する通信チャネルで前記情報処理システム２とでデータ通信接続を行う。
【００２７】
ステップＳ３が完了した後、使用者は必要に応じてステップＳ４を実行する。前記マイクロコントロールユニット１３は前記通信チャネル選択コードを出力して、前記表示モジュール１６が使用者が選択して生成された前記通信チャネル選択コードを取得するとともに、対応する前記デバイス識別コードを前記メモリユニット１４から読み取り、更に前記表示モジュール１６に出力し、そして前記表示モジュール１６は前記第１の表示エリア１６１にて前記通信チャネル選択コードを表示し、前記第２の表示エリア１６２にて前記デバイス識別コードを表示する。仮に前記入力装置１とで接続を行う前記情報処理システム２であれば、この情報処理システムの前記デバイス識別コードはＣ８５０と記載されて、前記第２の表示エリア１６２にてＣ８５０を表示することになる。
【００２８】
図５及び図６を参照されたい。一実施例において、本発明の前記表示方法における接続通信チャネル情報表示ステップは以下のサブステップを更に含む：ａ）サブステップＳ４１１、前記入力装置１に設けられているステータスリーダ１７を提供し；ｂ）サブステップＳ４１２、前記ステータスリーダ１７がトリガされたかを判断し、もしトリガされている場合には、前記入力装置１に接続されている前記通信チャネル選択コードを改めて読み取り、前記通信チャネル選択コードに基づいて対応する前記デバイス識別コードを読み取るとともに次のステップ（サブステップＳ４１３）を継続し、もしトリガされていない場合には、前記ステータスリーダ１７のトリガ判断を引き続き実行し；ｃ）サブステップＳ４１３、前記第１の表示エリア１６１にて前記通信チャネル選択コードを改めて表示し、前記第２の表示エリア１６２にて前記デバイス識別コードを改めて表示する。具体的に説明すると、前記入力装置１には前記ステータスリーダ１７を更に設けることができるものであって、前記ステータスリーダ１７はトリガスイッチであり、このトリガスイッチは押下にてトリガを発生するか、又は前記キーセット１１上の少なくとも一つのキーとの同時押下を組み合わせてトリガを発生させることができる。サブステップＳ４１２を実行するとき、前記入力装置１は前記マイクロコントロールユニット１３を用いて前記ステータスリーダ１７が前記回路ユニット１２上に押下されて生成した電気信号を判断することができる。もし前記マイクロコントロールユニット１３にて電気信号があると判断した場合には、現在接続使用されている前記通信チャネル選択コードを再度読み取るとともに、前記通信チャネル選択コードに基づいて、前記通信チャネル選択コードに対応するデバイス識別コード読み取るとともにサブステップＳ４１３を実行し、もし電気信号がないと判断した場合には判断を継続する。サブステップＳ４１３では前記通信チャネル選択コード及び前記デバイス識別コードを前記表示モジュール１６で改めて表示している。本実施例では前記通信チャネル選択コード及び前記デバイス識別コードを単独で表示しているが、他の実施例においては、前記入力装置１は全ての前記通信チャネル選択コード及び前記デバイス識別コードを前記ステータスリーダ１７を用いて表示するとともに、現在接続中の前記通信チャネル選択コード及び前記デバイス識別コードにつき目立たせて表示するので、本発明の前記表示方法における接続通信チャネル情報表示ステップは以下のサブステップを更に含む：ａ）サブステップＳ４２１、前記入力装置１に設けられている前記ステータスリーダ１７を提供し；ｂ）サブステップＳ４２２、前記ステータスリーダ１７がトリガされたかを判断し、もしトリガされている場合には、前記入力装置１に記録されている前記複数のデバイス識別コード及び前記複数の通信チャネル選択コードを改めて読み取るとともに、前記入力装置１に接続されている前記通信チャネル選択コード及びそのデバイス識別コードに対応する接続マークを設定し、もしトリガされていない場合には、前記ステータスリーダ１７のトリガ判断を引き続き実行し；ｃ）サブステップＳ４２３、前記第１の表示エリア１６１及び前記第２の表示エリア１６２にて前記複数の通信チャネル選択コード及び前記複数のデバイス識別コードを表示するとともに、前記接続マークに基づいて、対応する前記通信チャネル選択コード及びそのデバイス識別コードを目立たせて表示する。同様に、前記入力装置１には前記ステータスリーダ１７が設けられており、サブステップＳ４２２にて、前記マイクロコントロールユニット１３は前記ステータスリーダ１７が前記回路ユニット１２上に押下されて生成した電気信号を判断し、もし電気信号があると判断した場合には、前記入力装置１に記録されている前記デバイス識別コード及び前記通信チャネル選択コードを再度読み取るとともに、前記入力装置１が現在使用接続している前記通信チャネル選択コード及び前記デバイス識別コードに基づいて、その対応する前記接続マークを設定する。図８を参照されたい。サブステップＳ４２３を実施するとき、前記表示モジュール１６は前記第１の表示エリア１６１及び前記第２の表示エリア１６２にて前記複数の通信チャネル選択コード及び前記複数のデバイス識別コードをそれぞれ表示するとともに、更に前記接続マークに基づいて、対応する前記通信チャネル選択コード及び前記デバイス識別コードを目立たせて表示する。いわゆる目立たせて表示するというものは、前記接続マークに対応する前記複数のデータを白反転の方式で表示するか、又はその他データ表示とは異なる明るさ又は色で表示することができるというものである。
【００２９】
図６及び図９を参照されたい。本発明の前記表方法における前記通信チャネル設定ステップは以下のサブステップを更に含む：ａ）サブステップＳ３１１、前記入力装置１に設けられているメモリリセッタ１８を提供し；ｂ）サブステップＳ３１２、前記メモリリセッタ１８がトリガされたかを判断し、もしトリガされている場合には、前記入力装置１に記録されている前記複数のデバイス識別コード及び前記複数のデバイス許可コードを消去するとともに前記通信チャネル設定ステップＳ２を改めて実行し、もしトリガされていない場合には、前記メモリリセッタ１８のトリガ判断を引き続き実行する。更に説明すれば、前記メモリリセッタ１８の実施方式は前記ステータスリーダ１７と同じであって、つまり前記メモリリセッタ１８は同様に押下又は前記キーセット１１上の少なくとも一つのキーとの同時押下を組み合わせてトリガを発生させることができる。サブステップＳ３１２において、前記マイクロコントロールユニット１３は前記回路ユニット１２に前記メモリリセッタ１８がトリガされて生成した電気信号が発生しているかを判断し、もし発生している場合には、前記入力装置１に記録されている全てのデバイス識別コード及びデバイス許可コードを消去するとともに、前記通信チャネル設定ステップを改めて実行する。もし発生していない場合には、前記マイクロコントロールユニット１３は判断を継続する。ところで、上記実施例では全てのデバイス識別コード及びデバイス許可コードを消去するもので説明したが、本発明はこれに限らず、通信チャネル選択コードが対応する前記デバイス識別コード及び前記デバイス許可コードのうちの一つを選択することで単独に消去してもよい。図６及び図１０を合わせて参照されたい。他の実施例において、前記通信チャネル設定ステップは以下のサブステップを更に含む：ａ）サブステップＳ３２１、前記入力装置１に設けられている前記メモリリセッタ１８及びチャネルセレクタ１９を低提供し；ｂ）サブステップＳ３２２、前記チャネルセレクタ１９で前記通信チャネル選択コードを選択するとともに、前記メモリリセッタ１８がトリガされたかを判断し、もしトリガされている場合には、前記通信チャネル選択コードに対応する前記デバイス識別コード及び前記デバイス許可コードを消去するとともに前記通信チャネル設定ステップＳ２を改めて実行し、もしトリガされていない場合には、前記メモリリセッタ１８のトリガ判断を引き続き実行する。この実施例において、前記入力装置１には前記メモリリセッタ１８及び前記チャネルセレクタ１９が同時に設けられており、このうち、前記チャネルセレクタ１９は前記キーセット１１のうちの一つのキーであるか、又は前記入力装置１上のトリガ素子とすることができる。ステップＳ３２２において、前記マイクロコントロールユニット１３はまず前記チャネルセレクタがトリガされたかを判断し、もしトリガされている場合には、前記チャネルセレクタはトリガされて生成した前記通信チャネル選択コードを判断し、その後前記メモリリセッタ１８がトリガされたかを更に判断し、もしトリガされていれば前記通信チャネル選択コードに対応する前記デバイス識別コード及び前記デバイス許可コードを消去するとともに、前記通信チャネル設定ステップＳ２を再度実行するものであるが、そのステップは上記と同じであるため、ここでは再度説明はしない。
【００３０】
上記をまとめるに、本発明のマルチターゲット通信チャネルの判別が可能な表示方法は、主にワイヤレス通信方式を用いて複数の通信チャネルで一つの入力装置と少なくとも二つの情報処理システムとの間のデータ通信接続を切り換えるものであって、前記入力装置には第１の表示エリアと第２の表示エリアとを有する表示モジュールが設けられている。前記表示方法はデバイス接続確立ステップと、通信チャネル設定ステップと、接続ターゲット決定ステップと、接続通信チャネル情報表示ステップとを含み、前記デバイス接続確立ステップ、前記通信チャネル設定ステップ及び前記接続ターゲット決定ステップにより、このうちの一つの情報処理システムとデータ接続を行うものであり、そして使用者は更に前記接続通信チャネル情報表示ステップにて前記デバイス識別コードを表示することができ、表示する前記デバイス識別コードに基づいて、前記入力装置が現在接続している情報処理システムを知ることができる。これにより、従来のマルチターゲット切り換え装置では現在の接続ターゲットを知ることができないために、推測で切り換えなければならないという問題を解決する。
【符号の説明】
【００３１】
１      入力装置
１１    キーセット
１２    回路ユニット
１３    マイクロコントロールユニット
１４    メモリユニット
１５    ワイヤレス通信装置
１６    表示モジュール
１６１  第１の表示エリア
１６２  第２の表示エリア
１７    ステータスリーダ
１８    メモリリセッタ
１９    チャネルセレクタ
２      情報処理システム
Ｓ１、Ｓ２、Ｓ３、３１１、Ｓ３１２、Ｓ３２１、Ｓ３２２、Ｓ４、Ｓ４１１、Ｓ４１２、Ｓ４１３、Ｓ４２１、Ｓ４２２、Ｓ４２３    ステップ
【図１】
2014230277.tif 000003
【図２】
2014230277.tif 000004
【図３】
2014230277.tif 000005
【図４】
2014230277.tif 000006
【図５】
2014230277.tif 000007
【図６】
2014230277.tif 000008
【図７】
2014230277.tif 000009
【図８】
2014230277.tif 000010
【図９】
2014230277.tif 000011
【図１０】
2014230277.tif 000012